(57)【特許請求の範囲】
【請求項１】
ベッドを収納することができる横方向伸縮式のベッド殺菌庫と、マットを収納することができるマット殺菌庫と、これら二つの殺菌庫にオゾンを送り込むオゾン発生機とが一つの台車上に併設されており、
前記マット殺菌庫は、前記台車上で前記ベッド殺菌庫の背面側に長さ方向に沿って配置され、幅が狭く上下方向に長いマット搬入用の開口を塞ぐ開閉扉を有し、マット殺菌庫の底部に沿って前記マットを支持して長さ方向に送るローラーが並べられたマット載置台を備える
病院用移動式殺菌処理装置。
【請求項２】
前記台車がサーボモータにより駆動される、請求項１に記載の病院用移動式殺菌処理装置。
【請求項３】
前記横方向の伸縮がシャバラ方式でなされる、請求項１または２に記載の病院用移動式殺菌処理装置。
【請求項４】
前記横方向の伸縮動作が殺菌庫の底部に設けた電動車輪により行われる、請求項１から３までのいずれかに記載の病院用移動式殺菌処理装置。
【請求項５】
前記マット殺菌庫が加熱殺菌手段を備えている、請求項１から４までのいずれかに記載の病院用移動式殺菌処理装置。
【請求項６】
前記加熱殺菌手段が横方向伸縮可能なスライド式パネルヒーターである、請求項５に記載の病院用移動式殺菌処理装置。
【請求項７】
前記ベッド殺菌庫の床面が横方向伸縮可能なスライド式、折り畳み式および組立式のうちのいずれかで構成されている、請求項１〜６までのいずれかに記載の病院用移動式殺菌処理装置。
【請求項８】
前記ベッド殺菌庫が殺菌庫床面と台車走行面との間の段差を解消するスロープ体を備えている、請求項１から７までのいずれかに記載の病院用移動式殺菌処理装置。
【請求項９】
前記スロープ体が前記ベッド殺菌庫の開閉パネルを前倒しして殺菌庫床面と台車走行面との間で傾斜させることで兼用されるようになっている、請求項８に記載の病院用移動式殺菌処理装置。
【請求項１０】
前記殺菌庫が給排気口と該給排気口を塞ぐ弁とを備え、前記弁が前記殺菌庫の伸縮にともない開閉するようになっている、請求項１から９までのいずれかに記載の病院用移動式殺菌処理装置。
【請求項１１】
前記殺菌庫が電磁ロック式の扉を備えている、請求項１から１０までのいずれかに記載の病院用移動式殺菌処理装置。
【請求項１２】
前記殺菌庫が非常時に前記オゾン発生機の自動停止と前記電磁ロックの自動解除を行う機能を有している、請求項１１に記載の病院用移動式殺菌処理装置。
【請求項１３】
前記伸縮式の殺菌庫が前方障害物確認のためのセンサーを備えている、請求項１から１２までのいずれかに記載の病院用移動式殺菌処理装置。
【発明の詳細な説明】
【０００１】
【発明の属する技術分野】
本発明は、病院において使用される移動式の殺菌処理装置であって、エレベータを使用して各階を巡り、各階各病室のベッドやマットを簡便にかつ効果的に殺菌処理して回ることのできる装置に関する。
【０００２】
【従来の技術】
病人用のベッドやマットを個々的に殺菌処理するための装置は、従来、知られている（特開昭６３−７１２５４号公報、特開昭６４−４３２５６号公報、特開平２−２３５５号公報、特開平２−１４４０６６号公報など）。これら従来の装置の中には、移動可能になったものや、移動時、待機時における容積を少なくするためにベッド収納室が伸縮式になったものもある。
【０００３】
しかし、ベッドとマットは同時に殺菌処理する方が便利であるにもかかわらず、殺菌処理が必要なベッドとマットを１台で処理できるようにした装置は従来、知られていない。そのため、ベッド用とマット用のそれぞれで装置を個別に病室に運び込み、運び出すことが必要となるほか、ベッド用とマット用のそれぞれの起動、停止を個々的に操作する必要があり、各病室での殺菌処理に要する人員数と作業時間が多大になっていると言う問題があった。さらに、ベッド用、マット用でそれぞれオゾン発生機を備えておく必要があり、個々の装置のコストが嵩むほか、個々の装置の必要スペースも大きいと言う問題もあった。
【０００４】
【発明が解決しようとする課題】
以上の事情に鑑みて、本発明の課題は、ベッドとマットの同時殺菌処理を可能とする病院用移動式殺菌処理装置を提供することにある。
【０００５】
【課題を解決するための手段】
上記課題を解決するため、本発明にかかる病院用移動式殺菌処理装置は、ベッドを収納することができる横方向伸縮式のベッド殺菌庫と、マットを収納することができるマット殺菌庫と、これら二つの殺菌庫にオゾンを送り込むオゾン発生機とが一つの台車上に併設されており、前記マット殺菌庫は、前記台車上で前記ベッド殺菌庫の背面側に長さ方向に沿って配置され、幅が狭く上下方向に長いマット搬入用の開口を塞ぐ開閉扉を有し、マット殺菌庫の底部に沿って前記マットを支持して長さ方向に送るローラーが並べられたマット載置台を備える。
【０００６】
上記において、台車がサーボモータにより駆動されるようになっていることが好ましい。
上記において、マット殺菌庫も横方向伸縮式になっていることが好ましい。
上記において、横方向の伸縮がシャバラ方式でなされることが好ましい。
上記において、横方向の伸縮動作が殺菌庫の底部に設けた電動車輪により行われることが好ましい。
【０００７】
上記において、マット殺菌庫が加熱殺菌手段を備えていることが好ましい。
上記において、加熱殺菌手段が横方向伸縮可能なスライド式パネルヒーターであることが好ましい。
上記において、ベッド殺菌庫の床面が横方向伸縮可能なスライド式、折り畳み式および組立式のうちのいずれかで構成されていることが好ましい。
【０００８】
上記において、ベッド殺菌庫が殺菌庫床面と台車走行面との間の段差を解消するスロープ体を備えていることが好ましい。
上記において、スロープ体が前記ベッド殺菌庫の開閉パネルを前倒しして殺菌庫床面と台車走行面との間で傾斜させることで兼用されるようになっていることが好ましい。
【０００９】
上記において、殺菌庫が給排気口と該給排気口を塞ぐ弁とを備え、前記弁が前記殺菌庫の伸縮にともない開閉するようになっていることが好ましい。
上記において、殺菌庫が電磁ロック式の扉を備えていることが好ましい。
上記において、殺菌庫が非常時に前記オゾン発生機の自動停止と前記電磁ロックの自動解除を行う機能を有していることが好ましい。
【００１０】
上記において、伸縮式の殺菌庫が前方障害物確認のためのセンサーを備えていることが好ましい。
【００１１】
【発明の実施の形態】
図１は本発明にかかる病院用移動式殺菌処理装置の外観を示し、図２はその内部構造を簡略に示している。台車１はＤＣサーボモータ１１によって駆動される車輪１２ａと自在車輪１２ｂとを備え、走行可能となっている。駆動車輪１２ａの駆動源（図示省略）が、台車１のハンドル等の操作部（図示省略）に加えられた外力を検出して推進方向と操舵方向の各外力を検出して各方向の外力に応じたトルクの補助力を各方向の駆動源に発生させる制御手段を（図示省略）を備えていると、微妙な運搬操作が容易に行え操作感が良好となる（特開平８−２８２４９８号公報、特開平９−１０９８９２号公報参照）。
【００１２】
台車１の走行時にメロディが発せられるようにしておくと、病院のような、人の混雑する場所での人身事故の発生を避けることができる。
台車１上には、中央にベッド殺菌庫２、その一方隣にマット殺菌庫３、その反対側隣に操作部４が併設され、これらベッド殺菌庫２、マット殺菌庫３および操作部４の裏面側にオゾン発生機５がさらに併設されている。
【００１３】
オゾン発生機５は、ベッド殺菌庫２、マット殺菌庫３および操作部４の裏面側全面を使用すれば、薄型でコンパクトに設計することが出来るが、裏面側の一部を使用するのでも良い。殺菌は紫外線照射によっても行えるが、紫外線方式の殺菌は、紫外線を当てることができない面（盲点）を有するため、殺菌効率が悪い。これに対し、オゾン方式の殺菌はこのような盲点を有しない利点がある。オゾン発生機５は、無声放電式か電気分解式かの発生機構でオゾンを発生させるようになっている。オゾン濃度は、高い殺菌効果を得るためには、３０〜４０ｐｐｍとするのが好ましい。これを越す濃度になると人間の生命に危険を及ぼす懸念があり、未満では殺菌効果が顕著でない。
【００１４】
ベッド殺菌庫２もマット殺菌庫３も、個々的に、図１に示すように、横方向に伸縮可能となっている。この伸縮は、限定する訳ではないが、図示のようなジャバラ方式によると便利である。図３の(a) はベッド殺菌庫２内にベッド６を収納した状態を示し、図４はマット殺菌庫３内にマット７を収納した状態を示す。
図１，３，４において、１ａ，１ａ′は台車１の前部であって、前部１ａはベッド殺菌庫２の引き出し部分に相当し、前部１ａ′はマット殺菌庫３の引き出し部分に相当する。両前部１ａ，１ａ′とも、殺菌庫２，３を横方向に引き出すときに使用する自在車輪１３を備えている。
【００１５】
両前部１ａ，１ａ′とも、殺菌庫２，３不使用時や装置移動時には台車１の基体部１ｂ内に納められている。前部１ａ，１ａ′は、移動時の安全のため、基体部１ｂ内に納められたときには、解除自在なロック機構（図示省略）で基体部１ｂに機械的にしっかりと結合されるようになっている。台車１の基体部１ｂ内には前述したオゾン発生機５が設置されている。
【００１６】
殺菌庫２，３は、自在車輪１３を電動車輪に変えることにより、自動で横方向に引き出せるようにすることも出来る。殺菌庫２，３伸長時にメロディが発せられるようにしておくと、病院のような、人の混雑する場所での人身事故の発生を避けることができる。また、伸縮式の殺菌庫２，３の前面に前方障害物確認のためのセンサーが備わっていると、人身事故、対物事故や殺菌庫２，３の損傷を避けることが出来る。
【００１７】
装置移動時や待機時は両殺菌庫２，３を、例えば図３の(b) に見るように収縮させてコンパクトにしておく。そのため、本装置はエレベータの使用も可能であり、便利である。
台車前部１ａにおける前面部分はベッド殺菌庫２の前面を開閉するためのパネル２ａとなっており、台車前部１ａ′における前面部分はマット殺菌庫３の前面を開閉するためのパネル３ａとなっている。これらの開閉パネル２ａ，３ａが電磁ロック式の扉になっていると、殺菌庫２，３の伸縮時に開閉パネル２ａ，３ａがが不用意に開かず、安全である。
【００１８】
使用時は、両殺菌庫２，３を伸ばして内部を広くしておき、開閉パネル２ａ，３ａを開けて殺菌庫２，３にベッド６やマット７を収納し、これらの開閉パネル２ａ，３ａを閉じて、殺菌庫２，３内にオゾン含有空気を所定量流し、ベッド６やマット７を殺菌処理する。
図５に見るように、ベッド殺菌庫２の背壁下部には給気口２ｅと排気口２ｆが設けられており、これら給気口２ｅと排気口２ｆはゴム片のような弾性復元力を有するシートからなる弁２ｇで塞がれている。オゾン含有空気が給気口２ｅから殺菌庫２内に導入されるときはその風圧で弁２ｇが内側に撓って開かれ、オゾン含有空気の導入が止まると弁２ｇはその弾性復元力でふたたび給気口２ｅを塞ぐ。排気口２ｆの場合は、その逆の空気流れが起きるので、オゾン含有空気を殺菌庫２から排気するときの風圧で開き、排気が終わると閉じられる。図示はしないが、マット殺菌庫３の給排気口の同様の構造となっている。給気口２ｅと排気口２ｆは一つで兼ねることも出来る。
【００１９】
弁２ｅの気密性は余り高くないので、オゾンが殺菌庫２，３の外に漏れ出したときにこれを分解するため、オゾン含有空気の排気経路にはオゾン分解触媒（図示省略）を仕込んでおくと良い。本装置の操作部そのたのどこかの箇所に、オゾンの分解完了を知らせる表示部や分解触媒の交換時期を知らせる表示部を設置しておくのも良い。
【００２０】
殺菌庫２，３が非常時にオゾン発生機５の自動停止と前述した開閉パネル電磁ロックの自動解除を行う機能を有していると、安全である。例えば、殺菌庫２，３にゆらぎセンサー（図示省略）を設置しておくと、人の出入りを検出することが出来るので、オゾン発生機５を停止させ、開閉パネル２ａ，３ａを開き、内部の人を無事に脱出させることが出来る。殺菌庫２，３の伸縮時であれば、この伸縮を止めることも出来る。
【００２１】
マット殺菌庫３は、マット７に発生したカイセンダニ等のダニを殺すために、加熱殺菌手段８を備えている。マット７の全面を一度に加熱することが好ましいので、加熱殺菌手段８は、図４に示すように、横方向伸縮可能なスライド式パネルヒーターで構成されている。
ベッド殺菌庫２の床面２ｂは、台車１の前部１ａと基体部１ｂの間に掛け渡されており、台車底部面積の全面に渡ってパネル等で設置されていても良いが、ベッド６の車輪６ａを案内するだけのレールであっても良い。床面２ｂは、殺菌庫２の壁面が横方向伸縮式のジャバラ等でなっていることに対応させるため、横方向伸縮可能なスライド式か折り畳み式か組立式になっていることが好ましい。
【００２２】
ベッド殺菌庫２の開閉パネル２ａは、図３の(a) に見るように、殺菌庫２の床面２ｂと台車走行面Ｂとの間の段差を解消するスロープ体を兼ねるようになっている。このスロープ体は、開閉パネル２ａとは別の、図６に見るような、折り畳み式の専用スロープパネル２ｈであっても良い。
この実施例では、ベッド殺菌庫２の寸法は、幅が１０００mm、前後長さが伸長時２３００mm、収縮時８００mmである。マット殺菌庫３の寸法は、幅が４００mm、前後長さが伸長時２３００mm、収縮時８００mmである。オゾン含有空気給排気口の開口面積は例えば１００ｃｍ2 程度である。マット殺菌庫３内に設置される加熱殺菌手段８は、カイセンダニの死滅温度が約５７°Ｃであるので、ＡＣ１００Ｖ、昇温時間３０分で、１００mm厚みのマットの芯部温度を６０°Ｃ以上にすることが出来るような能力を有している。
【００２３】
図７は本発明にかかる病院用移動式殺菌処理装置の別の実施形態を示している。この実施形態では、マット殺菌庫３は長さ方向に沿う背面部に設けられていて、奥行きが十分に深いため、伸縮式にする必要がない。マット殺菌庫３の扉３ａは左右に開閉する形になっている。マット殺菌庫３内の背面壁にはアルミ箔からなるヒータ８′が貼られている。ベッド殺菌庫２の開閉扉２ａは一部がガラス板やアルリル板からなる透明窓２１ａになっている。図中、５はオゾン発生機である。
【００２４】
マット殺菌庫３には、その底部（底面より少し上の位置）に、多数のローラー３ｂ・・・からなるベルトコンベア型のマット載置台が設けられていて、マット（図示省略）の搬入搬出を容易にさせている。マット載置台の下方には引き出し式のトレイ３ｃが設けられていて、加熱により処理されたダニ等の害虫の死骸やマットから出たゴミなどを受けて回収できるようになっている。
【００２５】
【発明の効果】
本発明にかかる病院用移動式殺菌処理装置は、ベッド殺菌庫とマット殺菌庫とがオゾン発生機とともに台車上に一体的に併設されているため、１台の台車でベッド用とマット用を同時に病室内に運び込み、病室から運び出すことができる。また、ベッド用とマット用を同時に起動、停止することも出来る。その結果、本発明によれば、各病室での殺菌処理に要する人員数と作業時間を従来に比較して大幅に軽減することが出来る。
【００２６】
本発明によれば、１台のオゾン発生機でベッド用、マット用に使用できるため、装置コストが低減され、装置の設置スペースも狭くすることができるようになる。
本発明によれば、さらに、ベッドやマットを殺菌処理する空間が「庫」、すなわち、完全密閉可能な構造になっているので、安全性も高い。
【図面の簡単な説明】
【図１】  本発明にかかる病院用移動式殺菌処理装置の一形態を示す、殺菌庫伸長時(a) と殺菌庫収縮時(b) の全体斜視図
【図２】  同上の断面図
【図３】  ベッド殺菌庫の伸長時(a) と収縮時(b) の断面図
【図４】  マット殺菌庫の伸長時の断面図
【図５】  殺菌庫の給排気口の自動開閉機構を示す斜視図
【図６】  ベッド用スロープ体の別の形態を示す側断面図
【図７】  本発明にかかる病院用移動式殺菌処理装置の別の形態を示す斜視図
【符号の説明】
１    台車
１ａ  台車前部
１ｂ  台車基体部
２    ベッド殺菌庫
２ａ  開閉パネル
２ｂ  ベッド殺菌庫床面
３    マット殺菌庫
５    オゾン発生機
６    ベッド
７    マット
８，８′    加熱殺菌手段
【図１】
0003636005.tif 000002
【図２】
0003636005.tif 000003
【図３】
0003636005.tif 000004
【図４】
0003636005.tif 000005
【図５】
0003636005.tif 000006
【図６】
0003636005.tif 000007
【図７】
0003636005.tif 000008